(57)【要約】【課題】  他者が視聴中の映像音声再生装置から聞こえてくる音が大きい場合、視聴の妨げとなってしまう。そこで、他の映像音声再生装置に起因する騒音を抑制することが必要とされている。【解決手段】  映像音声再生装置１に周辺騒音を測定するためのマイクロフォン１７を設ける。マイクロフォン１７が集音した周辺騒音中に他の映像音声再生装置２の音声成分が含まれている場合、映像音声再生装置１は外部映像音声再生装置制御手段１９を介して映像音声再生装置２の音量・音響特性を制御することで、他の映像音声再生装置２に起因する騒音を抑制することができる。【選択図】  図１
2010050554.tif 000002
【特許請求の範囲】
【請求項１】
映像または音声信号を受信するチューナーと、音声信号を音声に変換するスピーカーと、周囲雑音を集音するマイクロフォンとを有する映像音声再生装置において、
前記マイクロフォンが集音した周囲雑音から前記スピーカーが発生した音声を除去する音声除去手段と、他の映像音声再生装置の音声信号情報を入手する音声信号受信手段と、前記音声信号受信手段に入力された音声信号を他の映像音声再生装置の音声遅延量情報に基づいて遅延させる音声信号遅延手段と、前記音声除去手段の出力信号中に前記音声信号遅延手段の出力信号が含まれているか否かを判定する雑音判定手段と、前記雑音判定手段の判定結果に基づき他の映像音声再生装置に対して音質調整を行う音質調整手段を含むことを特徴とする映像音声再生装置。
【請求項２】
前記雑音判定手段の判定結果に基づき他の映像音声再生装置に対して字幕表示の指示を行うことを特徴とする請求項１に記載の映像音声再生装置。
【請求項３】
前記雑音判定手段の判定結果に基づき他の映像音声再生装置が受信中の映像音声信号を映像信号蓄積手段に蓄積することを特徴とする請求項１に記載の映像音声再生装置。
【請求項４】
前記雑音判定手段の判定結果と他の映像音声再生装置が受信するコンテンツのジャンル情報に基づき、他の映像音声再生装置に対して音質調整を行うことを特徴とする請求項１に記載の映像音声再生装置。
【請求項５】
前記雑音判定手段が雑音有りと判定し、さらに前記映像受信装置と前記他の映像音声再生装置が受信するチャネルが同一である場合、両映像音声再生装置の音声遅延量を同値に変更して音声出力することを特徴とする請求項１に記載の映像音声再生装置。
【発明の詳細な説明】
【技術分野】
【０００１】
本発明は、デジタルテレビにおいて、他の映像音声再生装置からの騒音に応じて他の映像音声再生装置の音声出力を変化させるデジタルテレビに関するものである。
【背景技術】
【０００２】
近年、プラズマテレビや液晶テレビなど映像音声再生装置の薄型化に伴い、映像音声再生装置を壁面に設置することが多くなってきている。
【０００３】
ところが、映像音声再生装置を壁面へ設置した場合、映像音声再生装置内蔵のスピーカーが壁面と近づいてしまい、スピーカー音声が壁面を通過して隣室へ聴こえてしまうことがある。
【０００４】
この問題を根本的に解決するためには、視聴者が自主的に音量を下げる、あるいは壁面の遮音性を高めることが望ましい。だが、視聴者は、視聴中の映像音声再生装置が他者へ対して騒音をもたらしているか否かを判断しにくいのが実情である。この問題に対して、複数の音声再生装置が音声の入出力情報を送受信した上で音声の入出力騒音発生源を特定し、騒音発生源の装置へ音量抑制通知を出す技術がある。この技術によると、マイク入力中の音声再生装置は、他の音声再生装置からの音声出力情報を受信し、音声出力情報送信元の音声がマイク入力中の音声に混入しているかどうかを検出する。また、スピーカー出力中の音声再生装置は、他の音声再生装置から音声入力情報を受信し、音声入力情報送信元のマイク入力に自装置のスピーカー出力が騒音を与えているかどうかを検出する。これらの検出した結果により、騒音発生源の装置に対して騒音を抑制させる通知を出す、あるいは、情報を受信した装置が自発的に音量レベルを下げる等の適切な対処を行うことができる。
【特許文献１】特開２００４−１０９７７９号公報
【発明の開示】
【発明が解決しようとする課題】
【０００５】
しかしながら、上述した特許文献１では、特定された騒音発生源に対して騒音抑制通知を出すのみで、音量制御は騒音発生源が自発的に行うため、適切な処理が正常に実施されない可能性もあった。
【０００６】
本発明は上記事情を鑑みたものである。本発明の目的は、他者が視聴中の他の映像音声再生装置に起因する騒音を検出し、他の映像音声再生装置に対して適切な処理を行うことにある。
【課題を解決するための手段】
【０００７】
上記目的は、映像または音声信号を受信するチューナーと、音声信号を音声に変換するスピーカーと、周囲雑音を集音するマイクロフォンとを有する映像音声再生装置において、
前記マイクロフォンが集音した周囲雑音から前記スピーカーが発生した音声を除去する音声除去手段と、他の映像音声再生装置の音声信号情報を入手する音声信号受信手段と、前記音声信号受信手段に入力された音声信号を他の映像音声再生装置の音声遅延量情報に基づいて遅延させる音声信号遅延手段と、前記音声除去手段の出力信号中に前記音声信号遅延手段の出力信号が含まれているか否かを判定する雑音判定手段と、前記雑音判定手段の判定結果に基づき他の映像音声再生装置に対して音質調整を行う音質調整手段を含むことを特徴とする映像音声再生装置によって達成される。
【発明の効果】
【０００８】
このような構成により、本発明によれば、他の映像音声再生装置に起因する騒音を検出し、他の映像音声再生装置に対して適切な処理を行うことが可能となる。
【発明を実施するための最良の形態】
【０００９】
次に、本発明の詳細を実施例の記述に従って説明する。
【００１０】
以下、本発明の実施形態について図を参照して説明する。ただし、発明は以下の実施の形態に限定されない。また、以下に述べる実施形態は、発明の最も好ましい形態を示すものであり、発明の範囲を限定するものではない。
【００１１】
まず、本実施の形態に係るオーディオシステムの構成について、図１を参照して詳細に説明する。ここで、図１は、本実施の形態に係る映像音声再生装置１、映像音声再生装置２の構成を例示するブロック図である。
【００１２】
図１に示すように、映像音声再生装置１は、チューナー１０、チューナー１１、音声信号遅延手段１２、スピーカー１３、音声信号遅延手段１４、騒音判断手段１５、音声除去手段１６、マイクロフォン１７、機器情報送受信手段１８、外部映像音声再生装置制御手段１９を備える。また、映像音声再生装置２は、機器情報送受信手段２１、音量・音響特性調整手段２２、スピーカー２３、チューナー２４、音声信号遅延手段２５を備える。
【００１３】
映像音声再生装置１、映像音声再生装置２は、表示画面上に映像を表示するテレビジョン受信装置などである。映像音声再生装置１の表示構成は、ＰＤＰ、ＬＣＤ、ＳＥＤなどを用いたものであってよい。ここで、ＰＤＰは、Plasma  Display  Panelの略語である。また、ＬＣＤは、Liquid  Crystal  Displayの略語である。また、ＳＥＤは、Surface-Conduction  Electron-emitter  Displayの略語である。
【００１４】
図１に示すように、映像音声再生装置１は、ＲＦ入力用端子（特に図示しない）から入力された映像音声信号をチューナー１１で受信する。受信した映像音声信号から音声信号を分離し、音声信号遅延手段１２を介してスピーカー１３へ出力する。音声信号遅延手段１２とスピーカー１３の間には音量調整手段や音声信号増幅手段があるが、ここでは図示しない。
【００１５】
チューナー１０は、機器情報送受信手段１８にて入手した映像音声再生装置２内のチューナー２４で受信されているチャネルと同一のチャネルを受信する。
【００１６】
音声信号遅延手段１４は、機器情報受信手段１８にて入手した映像音声再生装置２内の音声信号遅延手段２５で設定されている音声遅延時間と同一の音声遅延時間を設定する。
【００１７】
マイクロフォン１７は、映像音声再生装置１周辺の音声を集音する。集音した音声信号中にはスピーカー１３からの音声出力やスピーカー２３からの音声出力などが含まれる。
【００１８】
音声除去手段１６は、マイクロフォン１７で集音された音声信号から音声信号遅延手段１２の成分を除去する。
【００１９】
騒音判断手段１５は、音声除去手段１６から出力された音声信号と、音声信号遅延手段１４から出力された音声信号とを比較する。音声信号の比較は、各音声信号の周波数特性や音声信号レベルの強弱が変化するタイミング等について行うものとする。
【００２０】
機器情報送受信手段１８は、映像音声再生装置２の各種情報を入手する。各種情報は、映像音声再生装置２の機種情報、起動情報、チューナー２４で受信しているチャネル情報、音声信号遅延手段２５で設定されている音声遅延量情報、音量・音響特性調整手段２２で設定されている音量値設定情報等が含まれるものとする。
【００２１】
外部映像音声再生装置制御手段１９は、騒音判断手段１５の判断結果に応じ、映像音声再生装置２内の音量・音響特性調整手段２２を制御する。具体的には、騒音判断手段１５で騒音有りと判断した場合には音量・音響特性調整手段２２に対して音量低下制御や周波数特性調整制御を行う。周波数特性の調整は、騒音の周波数特性に基づいた制御や、映像音声再生装置２が視聴しているコンテンツのジャンル情報に基づいた制御等を行うものとする。また、音量低下制御を行った結果、映像音声再生装置２の音量値があらかじめ設定されている閾値以下となった場合には、映像音声再生装置２の映像表示部に映像信号と対応した字幕を表示させる。あるいは、映像音声再生装置１、映像音声再生装置２内に映像信号蓄積手段（図示しない）がある場合、映像音声再生装置２で受信されているチャネルを映像信号蓄積手段に記憶させる。
【００２２】
機器情報送受信手段２１は、機器情報送受信手段１８から指定された映像音声再生装置２に関する情報を機器情報送受信手段１８に送信する。
【００２３】
なお、上述した機器情報送受信手段１８と機器情報送受信手段２１の通信方式や外部映像音声再生装置制御手段１９と音量・音響特性調整手段２２の通信方式としては、ＩＥＥＥ１３９４やＨＤＭＩ−ＣＥＣなどであってよい。ここで、ＩＥＥＥ１３９４は、Institute  of  Electrical  and  Electronic  Engineers  1394の略である。また、ＨＤＭＩ−ＣＥＣは、High-Definition  Multimedia  Interface-Consumer  Electronics  Controlの略である。例えば、ＨＤＭＩ−ＣＥＣの場合であれば、ＣＥＣのベンダーコマンドとして映像音声再生装置２の機種情報、起動情報、チャネル情報、音声遅延量情報、音量値設定情報を取得するためのコマンドを設けてよい。また、映像音声再生装置２の音量・音響特性調整手段２２を制御するためのコマンドを設けてもよい。
【００２４】
次に、映像音声再生装置１の制御の下で行われる音量・音響特性調整制御処理について、図２を参照して詳細に説明する。ここで、図２は、音量・音響特性調整制御処理を示すフローチャートである。
【００２５】
図２に示すように、処理が開始されると、映像音声再生装置1は機器情報送受信手段１８を介して映像音声再生装置２の機種名称情報、起動状態情報、視聴チャネル情報、音量設定値情報、音声遅延量情報などの情報を入手する（Ｓ２０１）。
【００２６】
次に、映像音声再生装置１内のチューナー１０は、機器情報送受信手段１８が入手した視聴チャネル情報に基づき、映像音声再生装置２が視聴しているチャネルと同一のチャネルを受信する（Ｓ２０２）。
【００２７】
チューナー１０で受信した映像音声信号は映像音声信号分離処理の後、音声信号遅延手段１４に伝送される。音声信号遅延手段１４では、機器情報送受信手段１８で入手した映像音声再生装置２の音声遅延量情報に基づき、音声信号の遅延処理を行う。
【００２８】
一方、映像音声再生装置１に備え付けられているマイクロフォン１７では、映像音声再生装置１周辺の騒音を集音する（Ｓ２０３）。周辺騒音の中には、映像音声再生装置１内のスピーカー１３も含まれているため、音声除去手段１６にてマイクロフォン１７が集音した音声信号からスピーカー１３から出力されたと想定される周波数成分を除去する。
【００２９】
騒音判断手段１５では、音声除去手段１６から出力された音声信号と音声信号遅延手段１４にて遅延処理された音声信号の音声成分を比較する（Ｓ２０４）。比較は、周波数特性、時間軸特性について行うものとする。周波数特性比較については、低域周波数特性の特徴的な部分（例えばピーク、ディップ周波数など）を特定し、これらの傾向が近似しているかどうかを判定する。また、時間軸特性については、平均音圧レベルの強弱が発生するタイミングを比較し、これらの特徴が近似しているかどうかを判定するものとする。
【００３０】
騒音判断手段１５において、マイクロフォン１７が集音した音声信号中に映像音声再生装置２内のスピーカー２３が出力している音声信号成分が含まれていると判断された場合、映像音声再生装置１は外部映像音声再生装置制御手段１９を介して映像音声再生装置２の音量・音響特性調整手段２２の制御を行う（Ｓ２０５）。具体的には、音量を1ステップ下げる毎に再度騒音判断手段１５が騒音判定を行い、マイクロフォン１７が集音した音声信号中にスピーカー２３の音声信号が含まれなくなるまで音量・音響特性調整手段２２の音量ステップを下げていくものとする。また、映像音声再生装置２内がＤＳＰ等の音響特性制御手段を持つ場合、騒音判断手段１５にて騒音周波数特性を特定し、騒音信号に含まれている周波数成分のレベルのみを下げてもよい。あるいは、機器情報送受信手段１８が入手した映像音声再生装置２が視聴しているコンテンツのジャンル情報に基づいて音量・音響特性調整手段２２の音響特性を変化させてもよい。例えば、映像音声再生装置２がニュース等の情報番組を視聴している場合は音声帯域外の周波数成分のレベルを下げる、などの対応を行うことが考えられる。
【００３１】
また、音量・音響特性調整手段２２において、映像音声再生装置の音量ステップ値がある閾値以下となった場合には、映像音声再生装置２に対し音声字幕を表示する指示を行う。あるいは、映像音声再生装置２が視聴しているチャネルの録画指示を行う。録画指示は、映像音声再生装置２が映像信号蓄積手段をもつ場合や、映像音声再生装置２に外部映像信号蓄積手段が接続されている場合に行うこととする。映像音声再生装置１が映像信号蓄積手段をもつ場合、映像音声再生装置１内の映像信号蓄積手段にチューナー１０で受信した信号を蓄積しておき、ＨＤＭＩ等の通信手段を用いて映像音声再生装置２に伝送してもよい。
【００３２】
騒音判断手段１５において、マイクロフォン１７が集音した音声信号中にスピーカー２３が出力する音声信号が含まれなくなった場合、映像音声再生装置１は機器情報監視状態に移行する。機器情報監視状態では、映像音声再生装置１が機器情報送受信手段１８を介して映像音声再生装置２の視聴チャネルと音量情報、起動情報を常時監視する（Ｓ２０７）。映像音声再生装置２の視聴チャネルが変更された場合には、視聴チャネル情報に基づきチューナー１０の受信チャネルを同一のものに変更する。音量設定値が変更された場合は、騒音判断手段１５において再度騒音判断を行う。機器情報監視状態は、映像音声再生装置２の電源が遮断されるまで継続されるものとする（Ｓ２０８）。
【００３３】
また、映像音声再生装置１と映像音声再生装置２が同一チャネルを視聴し、かつ、マイクロフォン１７が集音した音声信号中にスピーカー２３からの音声出力信号が含まれていた場合は、同一チャネルを視聴しているため音量値、あるいは音響特性を調整する必要はない。しかし、映像音声再生装置１と映像音声再生装置２の画像処理能力が異なる場合、それぞれの映像音声再生装置において異なる音声遅延設定量が設定されていることが考えられる。
【００３４】
よって、映像音声再生装置１と映像音声再生装置２で同一チャネルを視聴している場合には、音声信号遅延手段１２と音声信号遅延手段２５の音声遅延設定量を同じ値とすることで音声が聴きやすくなる。この際、同一値を設定する音声遅延設定量は、各映像音声再生装置の音声遅延設定量のうち遅延量の長いものを採用することとする。
【００３５】
なお、上述した実施の形態における記述は、一例を示すものであり、これに限定するものではない。上述した実施の形態における構成及び動作に関しては、適宜変更が可能である。また、映像音声再生装置１と映像音声再生装置２内の音声信号は、デジタル音声信号以外にアナログ音声信号の遅延や音量を制御してもよい。
【図面の簡単な説明】
【００３６】
【図１】本実施の形態に係る映像音声再生装置の構成を例示するブロック図である。
【図２】映像音声再生装置の音量・音響特性制御処理を示すフローチャートである。
【符号の説明】
【００３７】
１  映像音声再生装置
１０  チューナー
１１  チューナー
１２  音声信号遅延手段
１３  スピーカー
１４  音声信号遅延手段
１５  騒音判断手段
１６  音声除去手段
１７  マイクロフォン
１８  機器情報送受信手段
１９  外部映像音声再生装置制御手段
２  映像音声再生装置
２１  機器情報送受信手段
２２  音量・音響特性調整手段
２３  スピーカー
２４  チューナー
２５  音声信号遅延手段
【図１】
2010050554.tif 000003
【図２】
2010050554.tif 000004